(57)【要約】【課題】弾丸を射出する力を制限できることで安全性を向上させるボルトを提供する。【解決手段】本体と、ピストンとを備え、前記本体は一部が円筒状を呈し、収容空間と、前記収容空間と連通する開口とからなり、前記ピストンは第１チューブと第２チューブとを含み、前記第１チューブにはその縦方向に沿って収容溝が形成され、前記収容溝と連通するエア穴が設けられ、前記収容溝にエア弁が収容され、前記第２チューブは前記第１チューブの前記収容溝に挿入され、しかも前記第２チューブにはその縦方向に沿って貫通孔が形成され、前記貫通孔は前記収容溝と連通し、前記第１チューブの前記エア弁に近接する一端に押付ブロックが設けられ、前記押付ブロックは、一端が前記エア弁に押付けており、その一側に切り欠が設けられ、前記切り欠が前記エア穴と連通し、前記第１チューブの前記第２チューブに近接する一端と前記第２チューブとが前記収容空間に収容される。【選択図】図２Ａ
0003166253.tif 000002
【実用新案登録請求の範囲】
【請求項１】
本体と、ピストンとを備えたボルトであって、
前記本体は、一部が、円筒状を呈し、収容空間と、前記収容空間と連通する開口と、からなり、
前記ピストンは、第１チューブと、第２チューブと、を含み、
前記第１チューブには、その縦方向に沿って収容溝が形成され、前記収容溝と連通するエア穴が設けられ、前記収容溝にエア弁が収容され、
前記第２チューブは、前記第１チューブの前記収容溝に挿入され、しかも前記第２チューブにはその縦方向に沿って貫通孔が形成され、前記貫通孔は前記収容溝と連通し、
前記第１チューブの前記エア弁に近接する一端に押付ブロックが設けられ、前記押付ブロックは、一端が前記エア弁に押付けており、その一側に切り欠が設けられ、前記切り欠が前記エア穴と連通し、前記第１チューブの前記第２チューブに近接する一端と前記第２チューブとが前記収容空間に収容されることを特徴とするボルト。
【請求項２】
前記切り欠の幅は前記エア穴の幅より大きいことを特徴とする請求項１に記載のボルト。
【請求項３】
前記ピストンは更に、ワッシャを含み、前記ワッシャは、前記ピストンの前記本体に近接する一端に嵌め設けられ、前記本体にガイド面が形成され、前記ガイド面は、前記開口の周縁から前記本体の前記収容空間の内壁面へ徐々に縮径することを特徴とする請求項１に記載のボルト。
【請求項４】
前記本体は更に、少なくとも一つの錘を含み、前記本体には、前記開口から遠ざかった一端へ延びる延び段が形成され、それぞれの前記錘が前記本体の前記延び段に配されることを特徴とする請求項１に記載のボルト。
【考案の詳細な説明】
【技術分野】
【０００１】
本考案はボルトに係り、特に、エアに駆動される銃に組み付けられるボルトに関するものである。
【背景技術】
【０００２】
従来のエアに駆動される銃は、例えば、特許文献１の台湾実用新案第Ｍ３６８７９４号公報に記載する内容のように、本体と、ピストン組と、からボルトが構成され、ピストンに弾性を有するワッシャが組み付けられ、これにより、高圧エアの本体を押える面積を増加でき、弾丸を射出する力を増加できる。
【先行技術文献】
【特許文献】
【０００３】
【特許文献１】台湾実用新案第Ｍ３６８７９４号公報
【考案の概要】
【考案が解決しようとする課題】
【０００４】
本考案の主な目的は、弾丸を射出する力を制限できることにより、安全性を向上させることができるボルトを提供することにある。
【課題を解決するための手段】
【０００５】
本考案のボルトによると、一部は、円筒状を呈し、収容空間と、前記収容空間と連通する開口と、を構成する本体と、第１チューブと、第２チューブと、を含み、前記第１チューブは、その縦方向に沿って収容溝が形成され、前記第２チューブは、その縦方向に沿って貫通孔が形成され、前記収容溝に挿入され、前記収容溝が前記貫通孔と連通し、第１チューブには、前記収容溝と連通するエア穴が設けられ、前記収容溝にエア弁が収容され、前記第２チューブの前記エア弁に近接する一端に押付ブロックが設けられ、前記押付ブロックは、一端が前記エア弁に押付けており、その一側に切り欠が設けられ、前記切り欠が前記エア穴と連通し、前記第１チューブの前記第２チューブに近接する一端と前記第２チューブとが前記収容空間に収容されるピストンと、を含むことを特徴とする。
【０００６】
本考案のボルトによると、前記切り欠の幅は前記エア穴の幅よりも大きいことを特徴とする。
【０００７】
本考案のボルトによると、更に、ワッシャを含み、前記ワッシャは、前記ピストンの前記本体に近接する一端に嵌め設けられ、前記本体にガイド面が形成され、前記ガイド面は、前記開口の周縁から前記本体の前記収容空間の内壁面へ徐々に縮径することを特徴とする。
【０００８】
本考案のボルトによると、更に、少なくとも一つの錘を含み、前記本体には、前記開口から遠ざかった一端へ延びる延び段が形成され、前記各錘が前記本体の前記延び段に配されることを特徴とする。
【考案の効果】
【０００９】
本考案のボルトによれば、次のような効果がある。
（１）押付ブロックによりエア弁の位置を制御して、エア弁の開度が大きすぎることを防止できるため、弾丸を射出する力を制限でき、安全性を向上できる。
【００１０】
（２）押付ブロックの切り欠の幅がエア穴の幅よりも大きいため、押付ブロックがエアの進入を阻止することを回避でき、これにより、エアが収容溝に順調に進入でき、エアのエネルギーロスを減少できる。
【図面の簡単な説明】
【００１１】
【図１】本考案の実施例１の組合済み状態の斜視図である。
【図２Ａ】本考案の実施例１の分解斜視図である。
【図２Ｂ】本考案の第１チューブの別の視点から見た斜視図である。
【図３Ａ】図１のＡ−Ａ線の断面図である。
【図３Ｂ】図３Ａの一部の拡大図である。
【図４】本考案の実施例２の分解斜視図である。
【図５】図１のＢ−Ｂ線の断面図である。
【図６】図５の作動を示す模式図である。
【考案を実施するための形態】
【実施例１】
【００１２】
以下、本考案の実施の形態を図面に基づいて説明する。
まず、図１を参照する。本考案のボルトは、エアに駆動される銃に組み付けられる。
【００１３】
本考案のボルトは、図２Ａに示すように、本体１０と、一つから複数の錘２０と、ピストンと、を含む。本体１０の一端は、円筒状を呈し、収容空間と、前記収容空間と連通する開口１と、を構成する。図２Ａ、図３Ａ及び図３Ｂに示すように、本体１０にガイド面１１が形成され、ガイド面１１は、開口１の周縁から本体１０の前記収容空間の内壁面へ徐々に縮径する。ガイド面１１は、図３Ｂに示すように、凹んだ円錐状を呈し、開口１から前記収容空間へ徐々に縮径し、他の実施例では、前記ガイド面が徐々に縮径する、円弧面または曲面である。本体１０には、開口１から遠ざかった一端へ延びる延び段１２が形成される。
【００１４】
これらの錘２０は、螺合、或いは他の組付方法により、本体１０又は他の錘に組付けられる。本実施例では、錘２０が本体１０に螺合され、錘２０に溝２１が形成され、錘２０´が溝２１に係合され、締結具２２により錘２０、２０´を締結して固定する。これにより、錘２０、２０´が本体１０の延び段１２に固定され、錘２０、２０´により本考案のボルト全体の重量が増加する。そうすると、ユーザは本考案のボルトが組付けられる銃を操作するときには、反動がより大きくなり、一般の銃に近似する操作効果を得ることができる。
【００１５】
図２Ａ及び図２Ｂを参照する。前記ピストンは、第１チューブ３１と、エア弁３２と、押付ブロック３３と、第２チューブ３４と、ワッシャ３５と、を含む。第１チューブ３１は、その縦方向に沿って収容溝３１１が形成される。収容溝３１１は第１チューブ３１の両端と連通する。第１チューブ３１には、収容溝３１１と連通するエア穴３１２が設けられる。図３Ａに示すように、収容溝３１１のエア穴３１２に対応する位置から第１チューブ３１の一端へ、エア弁３２、押付ブロック３３及び第２チューブ３４が順次に収容され、これにより、第２チューブ３４の一端が収容溝３１１に挿入される。第２チューブ３４は、その縦方向に沿って貫通孔３４１が形成され、貫通孔３４１が第２チューブ３４の両端と連通し、収容溝３１１が貫通孔３４１と連通する。これにより、収容溝３１１と貫通孔３４１とから気流の通路が形成される。第２チューブ３４の収容溝３１１内の一端に押付ブロック３３が設けられる。押付ブロック３３は、第２チューブ３４に螺合され、或いは他の方法により第２チューブ３４に固定される。本実施例では、第２チューブ３４の他端にワッシャ３５が嵌め設けられるが、別の実施例では、第１チューブ３１にワッシャ３５が嵌め設けられ、これにより、前記ピストンの表面の他の位置にワッシャ３５を設けることができる。押付ブロック３３は、ほぼチューブ状を呈し、第２チューブ３４から遠ざかった一端がエア弁３２に押付けている。エア弁３２は収容溝３１１とエア穴３１２との境界に位置する。押付ブロック３３の一側に切り欠３３１が設けられ、切り欠３３１がエア穴３１２に対応するため、切り欠３３１がエア穴３１２と連通する。本実施例では、切り欠３３１の幅はエア穴３１２の幅よりも大きい。これにより、押付ブロック３３は、エア穴３１２と収容溝３１１との間に位置してエア穴３１２と収容溝３１１とをカバーすることがない。図４を参照する。押付ブロック３３に複数の切り欠３３１が設けられ、第２チューブ３４に押付ブロック３３を螺合してもよい。これにより、押付ブロック３３を回転して位置を調整して、エア弁３２の押付ブロック３３の押付位置を変更できる。図３Ａを参照する。エア弁３２は、収容溝３１１のエア穴３１２に対応する位置に収容され、エア弁３２により気流の通路が前通路２と後通路３とに分けられ、エア穴３１２が前通路２及び後通路３と連通する。
【００１６】
前記ピストンは、本体１０に摺動可能に設けられ、これにより、第１チューブ３１の第２チューブ３４に近接する一端と第２チューブ３４とが前記収容空間に収容され、ワッシャ３５は、前記ピストンと本体１０の前記収容空間の内壁面との間に位置して、前記ピストンと本体１０の前記収容空間の内壁面とに押付ける。
【００１７】
次に、図３Ａ、図５及び図６を参照しながら本考案の使用方法を説明する。まず、エア穴３１２から高圧エアを注入し、このとき、押付ブロック３３がエア穴３１２を遮断しないため、収容溝３１１にエアを順調に注入でき、エア弁３２の仕切りにより、一部のエアは、前通路２に進入して第２チューブ３４の貫通孔３４１を通過して前記収容空間に進入する。このとき、ワッシャ３５が前記ピストンと本体１０とに押付けているため、エアの漏れを回避でき、高圧エアにより本体１０が前へ押えられて、前記ピストンが前記収容空間から離脱して、他の弾性体（図示せず）の弾力または他の押え力により、前記ピストンが回復して前記収容空間に進入する。そうすると、一回の射撃動作が完成した。前記ピストンが回復して前記収容空間に進入しているときには、本体１０のガイド面１１により、ワッシャ３５がガイドされ、ワッシャ３５の本体１０の開口１の周縁との係止を回避でき、全体の動作の流暢度を向上できる。
【００１８】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００１９】
本考案は、高圧エアに駆動される銃に適用することができる。
【符号の説明】
【００２０】
１：開口
２：前通路
３：後通路
１０：本体
１１：ガイド面
１２：延び段
２０：錘
２０´：錘
２１：溝
２２：締結具
３１：第１チューブ
３２：エア弁
３３：押付ブロック
３４：第２チューブ
３５：ワッシャ
３１１：収容溝
３１２：エア穴
３３１：切り欠
３４１：貫通孔
【図１】
0003166253.tif 000003
【図２Ａ】
0003166253.tif 000004
【図２Ｂ】
0003166253.tif 000005
【図３Ａ】
0003166253.tif 000006
【図３Ｂ】
0003166253.tif 000007
【図４】
0003166253.tif 000008
【図５】
0003166253.tif 000009
【図６】
0003166253.tif 000010